(57)【特許請求の範囲】
【請求項１】
媒体を収納する容器（２）と、
前記容器（２）に取り付けることが可能で、前記媒体を前記容器（２）から吐出する吐出開口部（６）を有する吐出ヘッド（３）と、
位置が固定されたクランプ部位（１６）を外側に配置したダイアフラム（１４）、及び予圧が加えられるバルブ本体（８）を有して前記吐出開口部（６）に隣接した吐出バルブ（７）であって、前記ダイアフラム（１４）上に定義される加圧面（１０）によりバルブ前室（９）の範囲が定められる吐出バルブ（７）と、
微生物に有効なフィルタ部（１９）を有し、前記容器（２）から前記バルブ前室（９）を経由して前記吐出開口部（６）に至る媒体路（Ｍ）から離隔して前記容器（２）に通じる圧力補正路（Ｄ）と、
を備え、前記クランプ部位（１６）はカップ形状の周縁突起部（２０）を有し、該カップ形状の周縁突起部（２０）の内側に前記吐出ヘッド（３）の内部部材（１７）が構成するディスク（２１）の外側突出部を組み込み、前記ディスク（２１）の前記外側突出部は放射状に外側に延長する止め具（２２）を有して前記周縁突起部（２０）を支持し、前記加圧面（１０）は前記ディスク（２１）の前記外側突出部の上面（２３）から離間していることを特徴とする液体用ディスペンサ（１）。
【請求項２】
前記バルブ本体（８）は、前記吐出開口部（６）を閉止する密閉用部材（１２）を頭部側に有するバルブ・プランジャ（１５）を持ち上げる前記ダイアフラム（１４）をなすことを特徴とする請求項１に記載の液体用ディスペンサ（１）。
【請求項３】
前記ダイアフラム（１４）の境界側は、位置が固定された前記クランプ部位（１６）において、前記吐出ヘッド（３）の前記内部部材（１７）にレーザ溶接により流体密封状態で固定されることを特徴とする、請求項２に記載の液体用ディスペンサ（１）。
【請求項４】
バルブ用バネ（１３）により、前記吐出開口部（６）の方向に向けて、前記バルブ本体（８）に力が印加されることを特徴とする、請求項１〜３のいずれか１項に記載の液体用ディスペンサ（１）。
【請求項５】
前記止め具（２２）は、互いに離間して配置された、独立した補助部品を備えることを特徴とする請求項１〜４のいずれか１項に記載の液体用ディスペンサ（１）。
【請求項６】
前記ディスク（２１）の前記外側突出部は、媒体圧力によるダイアフラム（１４）変形中に前記ダイアフラム（１４）を支持する平坦面を前記上面（２３）に有することを特徴とする請求項１〜５のいずれか１項に記載の液体用ディスペンサ（１）。
【請求項７】
前記ディスク（２１）の前記外側突出部は、前記液体用ディスペンサ（１）の軸方向の中心軸の周縁の前記内部部材（１７）上に一体的に形成され、かつ、高さ又は幅あるいはその両方を変動可能な環状部材であることを特徴とする請求項１〜６のいずれか１項に記載の液体用ディスペンサ（１）。
【請求項８】
前記ディスク（２１）の前記外側突出部の前記環状部材の前記高さは、前記バルブ前室（９）における圧力限界に到達する前に又は到達時に、前記バルブ前室（９）の容積が変動して前記ダイアフラム（１４）が前記上面（２３）で支持されるように選択されることを特徴とする、請求項７に記載の液体用ディスペンサ（１）。
【請求項９】
前記加圧面（１０）の有効径は、前記ディスク（２１）の前記外側突出部の前記高さ又は前記上面（２３）の径方向の幅、あるいはその両方から設定できることを特徴とする、請求項１〜８のいずれか１項に記載の液体用ディスペンサ（１）。
【請求項１０】
前記ディスク（２１）の前記外側突出部の前記高さ又は前記上面（２３）の径方向の幅あるいはその両方は、前記バルブ前室（９）の前記容積が前記ダイアフラム（１４）の撓みモーメントに依存するようにして変動する時に、前記ダイアフラム（１４）変形の触覚的な帰還作用のモーメント生成をもたらすために与えられることを特徴とする、請求項１〜９のいずれか１項に記載の液体用ディスペンサ（１）。
【請求項１１】
前記ディスク（２１）の前記外側突出部の壁厚は、前記液体用ディスペンサ（１）の前記軸方向の前記中心軸に対して非対称であることを特徴とする、請求項１０に記載の液体用ディスペンサ（１）。
【請求項１２】
前記ダイアフラム（１４）の流路変形に伴った流体の動き抵抗の増加を、液滴投与のために設定できることを特徴とする、請求項１０又は１１に記載の液体用ディスペンサ（１）。
【請求項１３】
触覚で検出できる力の変化点は、バルブ用バネ（１３）のバネ運動に沿って変動できることを特徴とする、請求項１０〜１２のいずれか１項に記載の液体用ディスペンサ（１）。
【請求項１４】
圧力点のような停止型の圧力変位の抵抗は、前記触覚的な帰還作用に連動していることを特徴とする、請求項１０〜１３のいずれか１項に記載の液体用ディスペンサ（１）。
【請求項１５】
前記ダイアフラム（１４）変形の前記触覚的な帰還作用の前記モーメントは、前記加圧面（１０）の有効な表面積から定まり、前記表面積は作動圧力に依存するようにして変動できることを特徴とする、請求項１０〜１４のいずれか１項に記載の液体用ディスペンサ（１）。
【請求項１６】
前記圧力補正路（Ｄ）は、密閉装置を用いて、前記容器（２）及び内部空間（２５）から閉止されることを特徴とする、請求項１〜１５のいずれか１項に記載の液体用ディスペンサ（１）。
【請求項１７】
前記密閉装置は密閉ディスク（２６）又は密閉プラグ（２９）として設けられていることを特徴とする、請求項１６に記載の液体用ディスペンサ（１）
【請求項１８】
媒体の供給は、媒体を前記容器（２）から前記媒体路（Ｍ）に押し込むことができる流速低減器（１８）から行われることを特徴とする、請求項１〜１７のいずれか１項に記載の液体用ディスペンサ（１）。
【請求項１９】
前記吐出ヘッド（３）は、吐出用アダプタを外側部材として備え、
前記吐出用アダプタは、管状の延長部を有し、点眼薬を投与する液滴アダプタ（５）であることを特徴とする、請求項１〜１８のいずれか１項に記載の液体用ディスペンサ（１）。
【発明の詳細な説明】
【技術分野】
【０００１】
本発明は、請求項１の前文に基づく液体用ディスペンサに関する。
【背景技術】
【０００２】
この形式の液体用ディスペンサは、特許文献１から周知のことである。ディスペンサは、特に医薬関連目的であり、特に患者の口、鼻、眼、耳に入れる液体の吐出のために用いられる。ディスペンサは、瓶のような液体容器と投与部品を有している。投与部品は、ディスペンサの閉状態の時に、バルブで閉じられる吐出開口部にて、液体容器と反対側の末端で終結する。このため、バルブは、吐出開口部の内部の弁座と、弁座に対して移動可能なバルブ本体とを有する。バネの力がバルブ本体に印加されると、このバルブ本体は休止状態となって弁座に接触し、吐出開口部はバルブ前室から離隔される。このバルブ前室は、投与部品の外部部品によって外縁が区切られている。このバルブ前室は、バルブ本体の加圧面によって内縁が区切られている。バルブ前室の液体圧力が加圧面の大きさとバネの構成から決まる限界圧力を越えると、この液体圧力は、バルブ本体を部分的に変位させて、弁座からバルブ本体を引き離す。ここで、外側のクランプ部位は位置的に不変である。特に、弁座に隣接したバルブ本体の封止ピンが変位すると、液体は、吐出開口部を経由して流れ出すことができる。
【０００３】
周知のディスペンサの場合、バルブ用バネは、比較的弱いものである。それは、好ましくは２Ｎから３Ｎの間の力で、弁座にバルブ本体を押し込む。比較的大きな加圧面であれば、吐出開口部は、バルブ前室において比較的小さな正圧で、この場合0.3バールで開く。従って、バルブ前室からの液体は、小さな加圧で吐出開口部を流れるので、吐出開口部の外部で意図通りに滴下が行われる。周知のディスペンサの場合、バルブ前室の圧力は、瓶形状の液体容器を手で圧縮することで発生する。液体容器において増大した圧力は、流路を経由してバルブ前室に送られる。
【０００４】
しかし、これらのディスペンサには、吐出開口部のバルブ表面の部分における微生物汚染の問題がある。開口のために小さい圧力でよいというのは液滴を発生させるためであり、かつ、スプレージェットのような望ましくない吐出を防ぐ目的がある。しかし結果として、閉状態で、ディスペンサの吐出開口部の近くのバルブ表面圧力は、吐出処理後にディスペンサの内部領域に不純物が入ることを確実に防止できるほど高くない。しかし、ディスペンサの目的は、通常、できるだけ早く人体に受け入れられるように、液体が人体に送りこまれ、注入されることである。不純物が液体に侵入する危険が大きいと、そこに細菌負荷が発生し、患者が病気になってしまう。従って、投与バルブの少なくとも一つのバルブ表面が、撥液性、殺菌性、または細菌成長阻止性を呈する、あるいは、それら全てを呈するように形成されることは周知のことである。本発明の目的は、前述のように、ディスペンサに対する汚染の進展を防止することである。しかし、投与バルブのバルブ表面に殺菌または細菌成長阻止の設計を求めることは、不利になり得る。
【先行技術文献】
【特許文献】
【０００５】
【特許文献１】独国特許出願公開第10 2010 063 592号明細書
【発明の概要】
【発明が解決しようとする課題】
【０００６】
従って、本発明の目的は、液滴投与のために設計されると共に外部からの液体の汚染を同時に確実に防止する、請求項１の前文に記載された内容に基づくディスペンサを提供することにある。
【課題を解決するための手段】
【０００７】
前述の目的は、請求項１に記載された発明の特徴から達成される。
【発明の効果】
【０００８】
本発明によれば、バルブ前室の液体圧力が開放状態と液体流出を十分にもたらすことが難しくなると直ちに閉止するディスペンサが提供され、その開放圧力は、バルブ本体の加圧面の外部クランプを通して高感度で設定可能になる。加圧面のダイアフラム全体の直径は、かくして、バルブの開口に利用可能になる。
【０００９】
更に、加圧面における本発明に係るクランプ部位に隣接する内側において、加圧面を形成できるダイアフラム用の部分的な支持リングとして、平坦な支持体を吐出ヘッドに有することができる。ダイアフラムが媒体上昇のために変形すると、ダイアフラムの最初の流路変形の後、支持体に降りることができる。加圧面の有効径は、支持体の径方向の幅に応じて短くなる。ダイアフラム変形の作動力は、作動力の一部が支持体の支持リングに伝えられるので減少する。よって、流体の動き抵抗は、バルブ前室が媒体上昇のために満たされると増加する。支持体におけるダイアフラムの位置設定は、例えば、液滴投与のために、ダイアフラムの流路変形に伴って、触覚で検出可能な、力の変化点として定義できる。これは、液滴投与の制御性を改善するので、オーバーフロー（ジェット生成）を低減できる。停止型の圧力変位の抵抗を感じることにより、ユーザは、いつ液滴投与が行われるかについて更に認知可能な帰還作用を得られる。抵抗力の漸進的増加を検出できる。
【００１０】
ダイアフラム変形の力による変位の状況（触覚的な帰還作用）は、作動力を変えることにより、異なる適用機能に対して使用できる。この点において、支持体の径方向の幅と高さは、ダイアフラムの有効径の減少量を設定可能とするように、個々に選定できる。支持体を円周方向に対して非対称な形状にできるので、吐出開口部に対してバルブ・プランジャを傾斜させることができる。吐出開口部で放出される媒体、特に液滴は、媒体用の流路が部分的に開いているだけなので大抵剪断される。液滴の投与中に液滴のある種の付着を引き起こす可能性のある凝集力を弱めることができる。この場合、流体用ディスペンサは、簡単に確実に作動可能で、取扱いやすいものが有利である。
【００１１】
特に、ディスペンサが上下逆さまに動作することを意図している場合、容器内への圧力補正路の通気路出口は、逆止弁の方式で、吐出ヘッドに設けられた密閉装置を介して閉止されることができるように更に構成されていても良い。密閉装置は、例えば、容器の内部に対して凹状に湾曲し、そのディスク境界が密閉された接合状態となる、密閉ディスクであってもよい。また、ディスク境界には、密閉プラグが形成されるように、通気路出口の壁にコルク・タイプの接合状態を密閉ディスクに提供する、密閉リップを設けることもできる。
【００１２】
本発明の更なる詳細と長所は、後述する説明と従属請求項に記載の発明から理解できる。
【００１３】
本発明は、添付した図面に図示する実施形態に基づいて、以降に詳細に説明する。
【図面の簡単な説明】
【００１４】
【図１】容器と、液滴アダプタを有する吐出ヘッドとを具備する、ディスペンサの斜視図である。
【図２】液滴アダプタを除いた、図１に示す吐出ヘッドの拡大斜視図である。
【図３】容器の頸部に固定された第一の実施形態に係る吐出ヘッドの、流路も含んだ縦方向の断面図である。
【図４】作動中の媒体圧力下でのダイアフラム変形時の、図３に示す吐出ヘッドの部分図である。
【図５】ディスクの外側突出部と接触しないダイアフラム変形時の第一の実施形態に係る吐出ヘッドの、流路も含んだ縦方向の別の断面図である。
【図６】ディスクの外側突出部が高くなることによりダイアフラムがディスクの外側突出部に触れて加圧面のサイズが縮小する場合におけるダイアフラム変形時の、第二の実施形態に係る吐出ヘッドの、流路も含んだ縦方向の断面図である。
【図７】ディスクの外側突出部が高くなり、かつ、幅が拡大することにより、ダイアフラムがディスクの外側突出部に触れて加圧面のサイズが縮小する場合におけるダイアフラム変形時の、第三の実施形態に係る吐出ヘッドの、流路も含んだ縦方向の断面図である。
【図８】ディスクの外側突出部が高くなり、かつ、円周方向において非対称に幅が拡大することにより、ダイアフラムがディスクの外側突出部に触れて加圧面のサイズが縮小する場合におけるダイアフラム変形時の、第四の実施形態に係る吐出ヘッドの、流路も含んだ縦方向の断面図である。
【図９】図９ａは、平坦な密閉様式の閉状態である、吐出開口部の弁座の断面図であり、  図９ｂは、平坦な密閉様式の開放状態である、吐出開口部の弁座の断面図である。
【図１０】図１０ａは、円錐状の密閉様式の閉状態である、吐出開口部の弁座の断面図であり、図１０ｂは、円錐状の密閉様式の開放状態である、吐出開口部の弁座の断面図である。
【図１１】密閉ディスクが容器に対する通気路出口の密閉装置として設けられている、図３に示す第一の実施形態に係る吐出ヘッドの、通気路も含んだ縦方向の断面図である。
【図１２】密閉プラグが容器に対する通気路出口の密閉装置として設けられている、図３に示す第一の実施形態に係る吐出ヘッド、通気路も含んだ縦方向の断面図である。
【発明を実施するための形態】
【００１５】
図１は、液体用ディスペンサ１を示す。このディスペンサ１は、媒体を貯蔵する容器２を有すると共に、容器２に固定できる吐出ヘッド３を有している。容器２は、好ましくは瓶のような形状であり、手で圧縮することができ、容器２内の圧力が増大すると、媒体が上昇することになる。吐出ヘッド３は、好ましくはロック４（図４を参照）、例えば、スナップ−オン・ロックを介して容器２の頸部に組み込まれている。図示する実施形態によれば、ディスペンサ１は、例えば、点眼薬を放出する点滴器としてデザインされる。
【００１６】
そのために、吐出ヘッド３は、外部部品として吐出用アダプタを備えているが、この場合は液滴アダプタ５である。吐出ヘッド３は、容器２からの媒体を放出する吐出開口部６を有しており、好ましくは、設けられた液滴アダプタ５は、容器２側とは反対の位置となる末端で終結する。閉状態において、吐出開口部６は、吐出バルブ７によって閉止できる。吐出用アダプタは、ここでは液滴アダプタ５として設けられているが、管状の延長部を有するように設計されている（図１）。
【００１７】
図２と図３に示すように、吐出開口部６に隣接する吐出バルブ７は、予圧された、特にバネで予圧されたバルブ本体８を有し、バルブ本体８は加圧面１０でバルブ前室９との境界を構成している。吐出開口部６の部分に、吐出バルブ７は、内部弁座１１（図９ａ、９ｂ、１０ａ及び１０ｂを参照）を有しているので、バルブ本体８は軸方向に移動できる。バルブ用バネ１３により、特に圧縮バネにより、吐出開口部６の方向にバルブ本体８を加圧できるので、閉状態で、前述のバルブ本体は、弁座１１に密閉用部材１２で接触し、吐出開口部６はバルブ前室９の空間から離隔される。バルブ前室９は、液滴アダプタ５により外縁側の境界が限定される。バルブ前室９の空間は、バルブ本体８の加圧面１０により内縁側の境界が限定される。バルブ本体８はダイアフラム１４において加圧面１０を構成し、その加圧面１０から、密閉用部材１２又はその他の密閉用部材１２を頭部側に保持するバルブ・プランジャ１５が持ち上がるように設けられている。ダイアフラム１４とバルブ・プランジャ１５は、一体的に形成されているのが好ましい。
【００１８】
加圧面１０は、適正な位置に保持されたクランプ部位１６を外側に有している。そのために、ダイアフラム１４は、吐出ヘッド３の内部部材１７に境界側で、流体密封状態で取り付けられ、好ましくはレーザ溶接される。内部部材１７は、容器２に固定するためにロック４も保持する。
【００１９】
バルブ前室９の液体圧力が、加圧面１０の大きさとバルブ用バネ１３の構成とから定まる限界圧力を越えると、直ちに、前述の液体圧力によりバルブ本体８がＹ方向に部分的に移動する、即ち、密閉用部材１２が弁座１１から離れ、バルブ本体８が吐出開口部６から離れるように移動する。このバルブ本体８の移動により、液体が吐出開口部６に流れる。図３は、容器２から吐出ヘッド３を経由する、即ち、バルブ前室９と吐出バルブ７とを経由する、媒体路Ｍを示す。流速低減器１８が容器２の出口に設けられているのが好ましい。これは狭い隘路であり、媒体が吐出開口部６に流れる際に通らなければならず、絞り効果を実現するものとなる。流速低減器１８の流体抵抗は媒体路Ｆのオーバーフローを防止して圧力低下を導くので、容器２が軸方向に対して横方向に手で押し出され、媒体が媒体路Ｍに沿ってバルブ前室９に押し込まれる時に、液滴が吐出されるという長所を呈する。
【００２０】
図１〜３に示すディスペンサ１によれば、バルブ用バネ１３は、実際には比較的弱いものである。比較的大きくて平坦な加圧面１０と接続しているので、バルブ前室９では、例えば、0.2〜0.5バールという比較的低い正圧で吐出開口部６が開く結果になる。低圧を加えるだけで、媒体が吐出開口部６に流れ、吐出開口部６に意図通りの液滴が形成されることになる。
【００２１】
ディスペンサ１は、容器２に通じる圧力補正路Ｄを有すると共に、このチャンネルに挿入された、微生物に有効なフィルタ部１９を更に有している。これについては、図１１と１２を参照して後述する。圧力補正路Ｄは、媒体路Ｍから離隔している。
【００２２】
図２〜４は、加圧面１０が、キャップ状の周縁突起部２０として設計されたクランプ部位１６を有し、クランプ部位１６の内側に、吐出ヘッド３の内部部材１７であるディスク２１の外側突出部を設置できることを更に示している。ディスク２１の外側突出部は、周縁突起部２０の接触部として機能するように設けられた、放射状に外側に延伸する止め具２２を有する。このため、加圧面１０は、ディスク２１の外側突出部の上面２３から離間している。図２に示すように、止め具２２は、円周方向に分散して互いに間隔を空けて複数個が配置されてもよい。即ち、止め具２２は、独立した複数の止め具補助部品を組み合わせることで形成してもよい。ディスク２１の外側突出部は、ディスペンサ１の軸方向の中心軸に沿って内部部材１７に一体的に形成される環状部材であり、高さ又は幅あるいはその両方を変動可能なものである。
【００２３】
特に図４に図示するように、クランプ部位１６はダイアフラム１４により構成され、作動時の媒体圧力によるダイアフラム１４の変形があっても（破線で示す）、ディスク２１の外側突出部はダイアフラム１４を支持しない。従って、ダイアフラム１４の表面全体が、加圧面１０として作用可能となる。本発明に係るクランプ部位１６を用いることにより、加圧面１０の全ての表面が利用可能となり、作用可能な加圧面１０の大きさの最大化が可能になる。
【００２４】
図５は、ディスク２１の外側突出部と非接触の時のダイアフラムの変形を示す。ディスク２１の外側突出部の上面２３とダイアフラム１４の底面２４との間の距離Ｘは、Ｘ＞０と図示されている。ダイアフラム１４の本発明に係るクランプ部位１６を用いた時の加圧面１０の有効径も図示されている。前述の距離Ｘはバルブ前室９内の圧力限界に関係するものとして示されるものであり、この圧力限界によりバルブ本体８が部分的に変位する。圧力限界は、加圧面１０の大きさとバルブ用バネ１３の構成から決まる。
【００２５】
ディスク２１の外側突出部は、媒体圧力のもとでのダイアフラム変形中にダイアフラム１４を支持、好ましくは部分的な境界側の支持のために、上面２３に平坦面を形成する。そのためにダイアフラム１４は、バルブ前室９の容積を変更するのに伸縮自在で柔軟なものとする。
【００２６】
図６は第二の実施形態を示す。第二の実施形態においては、ディスク２１の外側突出部は、図５に示す第一の実施形態のものより高くなるように設計された環状突起状の形状である。高さは、ダイアフラム１４がディスク２１の外側突出部の上面２３で支持されるように、又は、容積の変更でバルブ前室９の限界圧力に達するように選択されている。距離Ｘが０になると、本発明に係るクランプ部位１６にダイアフラム１４が用いられているので、加圧面１０の有効径は、ディスク２１の外側突出部の径方向の幅に応じて減少する。ダイアフラム１４がディスク２１の外側突出部の上面２３で支持されている限り、バルブ前室９の媒体が及ぼす力Ｆは、ディスク２１の外側突出部に伝えられるので、効果的な加圧面１０として使用できない。加圧面１０の大きさの減少により、更なるダイアフラム変形を達成するために、即ち、より多くの液体をバルブ前室９に導入可能とするために、更なる力Ｆを印加しなければならない結果となる。更なる力Ｆを印加してより多くの液体をバルブ前室９に導入することは、圧力限界に達するために必要である。実効的な加圧面１０の大きさの減少が、ディスク２１の外側突出部の高さから決まる場合においては、力を印加してダイアフラム１４を撓ませることに起因する液体の流路の変化の様子は、特に、圧力限界の到達前に、液滴投与中における触覚的な帰還作用として使用できる。力を印加した場合の流路の変化の状況を触覚的な帰還作用として用いることにより、圧力限界への到達や、吐出開口部６の開口で液滴が投与されていることが、触覚的な動きからユーザが知ることができる。具体的にいうと、容器２を押すと、圧力限界の到達直前の状態であることが、バルブ前室９の圧力増加による流体の動き抵抗の増加として、触覚で感じることができるのである。本発明によれば、液滴の投与は触覚による感覚により実行可能である。
【００２７】
図７と８は他の実施形態を示す。触覚的に検知できる力の変化点は、バルブ用バネ１３のバネ運動に沿って変動し得る。触覚的な帰還作用は、ディスク２１の外側突出部の壁厚ｙ１及び壁厚ｙ２を、特定の値に選択することにより強めることができる（図８）。壁厚が増加すると、加圧面１０の有効径が減少するので、図７に示すように、流体の動き抵抗の増加が強められる。図８は、ディスク２１の外側突出部の壁厚がディスペンサ１の軸方向の中心軸に対して非対称で設計されることも可能であることを示す。非対称で設計することにより、吐出開口部６に対してバルブ本体８を傾斜できるので、液滴アダプタ５から作られる液滴の剪断を実現し得る。
【００２８】
弁座１１と密閉用部材１２の設計が、異なる密閉様式で、それぞれ、図９ａと９ｂ、図１０ａと１０ｂに図示されている。図９ａと９ｂは平坦な密閉様式を示す。図９ａは、平坦な密閉用部材１２を備えた吐出バルブ７の平坦な密閉様式での閉状態を示す。図９ｂは平坦な密閉様式での開放状態を示す。図１０ａは、円錐状の密閉用部材１２を備えた吐出バルブ７の円錐状の密閉様式での閉状態を示す。図１０ｂは円錐状の密閉様式での開放状態を示す。弁座１１と密閉用部材１２の配置構成は、液滴アダプタ５として設計された吐出用アダプタの管状の延伸部の先端部に実現しているのが好ましく、防腐剤を含まない製剤の使用を更に改善できる。
【００２９】
図１１と１２は、容器２と容器２の内部空間２５とに対して密閉装置を用いて密封されている、通気路Ｄを備える吐出ヘッド３を示す。
【００３０】
図１１は、密閉ディスク２６が密閉用に設けられている構造を示す。密閉ディスク２６は、容器２の内部で凹状に湾曲している。密閉ディスク２６は、通気路用のチャンネル２８に隣接する密閉エッジ２７に接触する。密閉エッジ２７は、逆止弁のように機能する密閉ディスク２６の擬似的な弁座である。
【００３１】
図１２は、密閉プラグ２９が、密閉装置として設けられている構造を示す。密閉プラグ２９は、逆止弁のように作用する密閉リップ３０を有している。その目的のために、弁座を壁３１に形成してもよい。
【００３２】
本発明の課題の解決手段は、入り込み得る不純物を除去または回避するために、除菌性、即ち、殺菌性又は静菌性、即ち、細菌の成長阻害特性を有する表面を備える液体導入領域をディスペンサ１に構成するという従来技術から周知の解決手段と、最終的には組み合わせることができる。
【００３３】
ポリエチレン（ＰＥ）、熱可塑性エラストマー（ＴＰＥ）、ポリプロピレン（ＰＰ）、又は、シリコンのような合成ポリマーが、ダイアフラム用の材料として用いることができる。
【００３４】
保護キャップを吐出ヘッド３上に置くような周知の方式も更に使用できる。
【００３５】
ディスペンサ１は、任意のタイプの流体媒体に使用できる。媒体は、防腐剤の有無にかかわらず導入できる。更に、バルブ前室９の容積がダイアフラム１４の撓み運動に応じて変わる時に、ディスク２１の外側突出部及びその上面２３の高さ又は半径方向の幅あるいはその両方が、ダイアフラム変形の触覚的な帰還作用のためのモーメント生成のために提供されることは、特に好ましい。ダイアフラム１４の流路変形に伴う流体の動き抵抗の増加が、液滴投与のために設定できることは、更に好ましい。触覚的に検出できる力の変化点が、バルブ用バネ１３のバネ運動に従って変動させられることは好ましい。停止型の圧力変位抵抗が、圧力点のように、触覚的な帰還作用に関連していることは好ましい。ダイアフラム変形の触覚的な帰還作用のモーメントが加圧面１０の有効表面積から定まり、その表面積は正圧によって変動できることは好ましい。
【００３６】
本発明によるディスペンサ１の機能を引き続き説明する。
【００３７】
ディスペンサ１については、まず、容器２を媒体で満たす。次に、液滴システムを備えた吐出ヘッド３が、縦軸方向の上方から、ロック４により、好ましくはスナップ留めされる。進行中の力が軸方向に作用して、望ましくなく又は半永久的に変形させるボトル変形を引き起こさないために、スナップ留め中に、ボトルを結合用リング３２（図３を参照）により支えることができる。吐出ヘッド３と容器２との間のスナップ留め処理においては、道具がなければ取り外しすることができない。
【００３８】
ディスペンサ１は、容器２を押すと作動し、その後弾性的に変形するので、容器の容積は減少する。結果として、正の内圧が増大する。その内圧の結果として、媒体又は液体が媒体路Ｍを介して移動する。例えば点眼器としてディスペンサ１を逆さまの位置で使用すると、この媒体路Ｍは流れを下ることとなる。ここで、媒体は、狭い流路、即ち、システムの流速低減器１８を通るのが好ましい。ここで、断面を狭くすることにより、堰きとめによるエネルギー散逸を引き起こし、媒体路を非常に速く流れることを防止するので、吐出時の媒体の流れを効果的に妨害できる。流速低減器１８は、その断面を、（例えば、粘度や表面張力のような）媒体パラメータにより調整されることができる。媒体の断面を過度に狭くするように選択すると、作動力が増大し過ぎて非作動となってしまう可能性がある。休止位置で、吐出バルブ７は、バルブ用バネ１３の誘導スプリング力によって、ダイアフラム１４の予圧によって閉止されるのが好ましい。閉止作用は、吐出開口部６の近くで微生物学的に密閉される状態で行われるのが好ましい（図９ａ、９ｂ、図１０ａ，１０ｂを参照）。作動中に増大する媒体圧力は、バルブ前室９の加圧面１０上に反力Ｆを生成し（図４を参照）、ダイアフラムは容器２の方向に弾性的に変形する。同時に、容器２の内部空間２５における内圧の増加は、弾性的に変形自在の密閉ディスク２６が、微生物に有効なフィルタ部１９下方の好適な円筒状の延長部の密閉エッジ２７に対して自己増強的に押し込まれることを保証し、通気路Ｄに媒体が通ることを確実に防止する（図１１を参照）。ダイアフラム１４の変形の結果として、バルブ本体８は同じ方向Ｙに軸方向に沿って移動し、密閉面１１，１２の閉止的な接触は圧力限界に達すると解放される。そのため、ダイアフラム変形に起因してＹ方向でバルブ本体８の特定の変位を伴うことになる。結果として生じる開口部の隙間（図９ｂと１０ｂを参照）は媒体の通過を可能にする。媒体が吐出開口部６において十分な量に蓄積すると、直ちに、重力の作用で滴下され、適用可能になる。
【００３９】
滴下後、ユーザは、作動力の解放により、容器２への荷重を解放する。この結果として、容器２内の圧力は瞬時に低下する。バルブ用バネ１３は、望ましくはダイアフラム１４への予圧を伴って、変形したダイアフラム１４を元の位置に戻すことができる。バルブ本体８を介して、密閉面１１，１２（図９ａと１０を参照）は、次の作動まで再び半永久的に閉状態になる。媒体容量の放出の結果として、容器２の復元と作動力の低下とが組み合わさり、圧力条件は反転する。容器２内には負圧が存在するが、これが密閉面１１，１２の閉止を更に促して加速させる。負圧は、弾性的な密閉ディスク２６が自ら分離され、極めて短時間で、容積を補填すべく、フィルタ部１９により微生物を濾過した空気が流れていくようにする。圧力と容積の補填後、予圧がかけられた密閉ディスク２６（図１１を参照）は、液体が通気路を通過することを防止する。
【００４０】
密閉ディスク２６の機能については、必要に応じて、密閉プラグ２９も使用できる（図１２を参照）。密閉リップ３０が下に落ち込むことにより同様に通気機能を実現する。ここでも、媒体の圧力導入による自己増強システムが関係している。
【００４１】
本発明によれば、ディスペンサ１は、バルブ用バネ１３のバネ運動に沿って、触覚的に検知できる力の変化点と結合するような作動力で機能するように設計してもよい。その作動力下では、バルブ前室９内の加圧面１０の上方での媒体圧力の増加により、反力Ｆが生成し、かつ、ダイアフラム１４が容器２の方向に弾性的に変形する。液滴を投与するために容器２を圧縮する最中で流体の動き抵抗が増加することは、吐出バルブ７を開ける圧力限界に達する状態を触覚事象として生成する、触覚的に認知可能な帰還作用を提供することになる。ダイアフラムの撓みに起因する力学的な変位は、本発明に係るクランプ部位１６により、最長の有効径から始まって、加圧面１０の有効径を短くすることにより変えることができる。ダイアフラム１４は、円周の境界から、即ち、クランプ部位１６の近くから、ディスク２１の外側突出部の上に取り付けることができる。よって、バルブ本体８が、上向きに突出するバルブ・プランジャ１５を上方や下方にダイアフラム１４の中心位置で動かしている間、クランプ部位１６に隣接する円周の境界領域における変位の力学的な状況は、ダイアフラム１４の中心の変位よりも小さくなるので、圧力点を鋭敏に設定し得る。
【００４２】
ダイアフラムの変形がディスク２１の外側突出部と非接触の状態で生じる場合では、図５に示すように、ディスク２１の外側突出部は、休止と作動の全体において（作動内圧に起因するダイアフラムの最大変形時でも、即ち、限界圧力の到達時でも）接触が生じないように幾何学的に設計される。作動全体において、加圧面のダイアフラム径を有効径として利用できる。ダイアフラム１４はクランプ部位１６に横方向に接触するのみなので、即ち、クランプ部位１６は力Ｆと実質的に平行であるので、加圧面１０の全体表面積は好適に利用できる（図４と５を参照）。
【００４３】
ディスク２１の外側突出部との接触により加圧面の大きさの減少を伴うダイアフラム変形は、境界部分の高さを上げることで設定できる。寸法形状については、ディスク２１の外側突出部の高さは、休止状態で、ディスク２１の外側突出部とダイアフラムの内側にある底面２４との間に接触が生じないように形成することができる。作動時に、まず、加圧面１０の全体ダイアフラム径がバルブの開口に利用できる。適正に設定できれば、ダイアフラム１４の最小限の変形時でもディスク２１の外側突出部の上に落ち込むようにでき、有効なダイアフラム径を僅かに小さくできる。この場合、作動力があまりにも弱いと、ディスク２１の外側突出部に力Ｆが部分的に伝わってしまい、ダイアフラム１４を更に変形させることはできない（図６）。
【００４４】
ディスク２１の外側突出部の高さを上げることに加えて、あるいはその代わりに、ディスク２１の外側突出部の壁厚を増大することができる。これにより、ディスク２１の外側突出部の内径が減少する（図７を参照）。この設計により、開始直径と比べると、有効なダイアフラム径を７０％にまで減少することができる。これは、液滴投与の制御性を更に改善するので、オーバーフロー（ストリームの生成）を防止できる。
【００４５】
ディスク２１の外側突出部の非対称的な構成（図８）が、バルブ・プランジャ１５をある角度（図８ではＺ°）だけ傾けることを可能にするので、吐出バルブ７の片側の開口、即ち、媒体用の流路を極めて部分的に開放できる。ディスク２１の外側突出部の非対称度合は、最大で８倍まで拡大可能である。
【図１】
0006825180.tif 000002
【図２】
0006825180.tif 000003
【図３】
0006825180.tif 000004
【図４】
0006825180.tif 000005
【図５】
0006825180.tif 000006
【図６】
0006825180.tif 000007
【図７】
0006825180.tif 000008
【図８】
0006825180.tif 000009
【図９】
0006825180.tif 000010
【図１０】
0006825180.tif 000011
【図１１】
0006825180.tif 000012
【図１２】
0006825180.tif 000013